(57)【特許請求の範囲】
【請求項１】
基礎上に床パネルが縦横に配設された建物の床構造であって、前記建物の外周部分にほぼ連続して配置される基礎である外周部分の布基礎上に前記床パネルの一方の端部が載せられて、前記床パネルの一方の端部が前記布基礎に支持され、かつ、前記床パネルの一方の端面と、前記基礎の上面の前記住宅の外周側の側縁とがほぼ同じ位置に上下に重なって配置され、前記布基礎の上面の左右の側縁部間を前記床パネルの端部がほぼ覆うようになっており、
前記床パネルは、縦横の桟材を矩形枠状に組んだ枠体と、該枠体の少なくとも上面側に設けられる面材とを備え、前記基礎上には、該基礎上に載せられた前記床パネルの一方の端部を介して外壁となる壁パネルが立設され、前記基礎には、その上部から上方に突出して前記床パネルの一方の端部を貫通して前記壁パネルの下端部に至るアンカーボルトが設けられ、前記床パネルの一方の端部側に配置される前記枠体の桟材の水平方向に沿った厚さが、前記基礎の上面の前記住宅の外周側の側縁から少なくとも前記アンカーボルトを超えた位置までの距離より厚くされ、かつ、前記桟材の前記アンカーボルトに対応する位置に、前記アンカーボルトを挿通する挿通孔が形成され、
前記外壁となる壁パネルには、予め、前記壁パネルを設置する前に、前記壁パネルの外面側に、該外面と僅かに間隔を開けて板状の外装材が取り付けられているとともに、前記外装材の下端部が少なくとも壁パネルの下に配置される床パネルの端面をほぼ覆い隠すように、前記壁パネルの下端部より下に延出し、前記外装材の下端部の裏面側から外装材の下側に延出するように水切材が配置されているとともに、該水切材の上端部が前記外装材と前記床パネルの一方の端面との間にスペーサとともに配置され、前記水切材が、前記外装材、前記水切材及び前記スペーサを貫通して床パネルの端部に突き刺さる接合部材により、床パネル及び外装材に固定されていることを特徴とする床構造。
【発明の詳細な説明】
【０００１】
【発明の属する技術分野】
本発明は、床構造に関する。
【０００２】
【背景の技術】
従来、工業化住宅の一つとして、床・壁・屋根等の構造材を予め工場等でパネル化し、施工現場でこれらのパネルを組み立てることにより、住宅を構築するパネル工法が一部に採用されている。パネルは、例えば、桟材を枠状に組み立てて枠体を形成し、この枠体内に必要に応じて補強桟材を縦横に組みつけ、枠体の上面に合板等の面材を貼りつけたものが一般的である。パネル工法においては、基礎上に複数の床パネルを敷設して一階の床部を構築し、この床部の上に複数の壁パネルを立設して接合することで壁部を構築している。また、二階以上の床部は、一階の場合の基礎に代えて、下階の壁パネル上に配置されている。
【０００３】
また、パネル工法においては、モジュール設計が行われており、縦横に基準長さ単位（モジュール）毎に線が引かれた方眼上において、壁、基礎の配置が決められており、壁及び基礎の厚みに対する中心線もしくは該中心線の近傍が前記方眼の線上に配置されるようになっている。一方、床パネルのサイズも、前記規準単位に基づいて規格化されており、例えば、床パネルの長さは、一方の基礎もしくは壁のほぼ中心線の位置からこれら基礎もしくは壁と平行な他方の基礎もしくは壁のほぼ中心線までの長さとされている。
【０００４】
従って、住宅の内側に設けられた基礎や壁上においては、左右から二つの壁パネルの端部が載せられることになる。一方、住宅の外周部分の布基礎や壁上においては、布基礎や壁の一方側（住宅の内側）からだけ壁パネルの端部が載せられることになり、布基礎や壁の上面の住宅の外側半分には壁パネルの端部が載ることがなく、あいた状態となってしまう。なお、後述するように、布基礎や壁パネル上には、床パネルの端部を介して上階の壁パネルが立設されるので、上述のように住宅の外周部分の基礎や壁パネルの上面が半分あいた状態のままとすることができないので、この部分の基礎上には、半土台と称する床パネルと同じ上下厚の角材を配置し、壁パネル上には、胴差と称する床パネルと同じ上下厚の角材を配置していた。
【０００５】
その際、床パネルの端部と壁パネルとの接合部は、例えば、特開２０００−３０３５５１号公報に示されるように、図３において、基礎１ａにはパネルを接合するためのアンカーボルト５ａを予め設けておく。そして、まず、基礎１ａ上に半土台３２ｂおよび床パネル３ａを載置し、これらの上部に壁パネル４ａを立設し、この際に壁パネル４ａの枠体４２ａをアンカーボルト５ａに挿通させる。この後、壁パネル４ａの作業用開口（図示しない）を通して、ナット６ａを螺合して締め付ける構造となっている。また、図示しないが、上階も同様、下階の壁パネルの上端に胴差および床パネルを載置し、これらの上部に壁パネルを立設し、この際に枠体を胴差ボルトに挿通させる。この後、壁パネルの作業用開口（図示しない）を通して、ナットを螺合して締め付ける構造となっている。
【０００６】
また、建築現場での作業性を向上するために、外壁となる壁パネルの外面側に予め工場で外装材を取り付ける場合がある。この際に、住宅の外周部の布基礎上に配置される一階の壁パネルにおいては、壁パネルよりしたの半土台の部分も外装材が覆うように、外装材を壁パネルの下端部より下方に延出するようにしていた。
また、外装材の壁パネルの下端部より下方に延出する部分を保護するために、壁パネルの下端部には、外装材の裏面側において、外装材と同様に下方に延出する合板等からなる板体が設けられていた。
そして、一階の壁パネルの下方には、半土台側に雨水が流れ込むのを防止する水切材が配置されるが、上述のような壁パネルを用いた場合には、前記水切材が前記板体に取り付けられていた。
【０００７】
【発明が解決しようとする課題】
ところで、上述のパネルの接合方法によると、基礎と壁パネルとの間、もしくは、下階の壁パネルと上階の壁パネルとの間は、床パネルと半土台（上階では胴差）によって支持されており、基礎上（上階では壁パネル）の領域を二分し合っている。そして、アンカーボルト（上階では胴差ボルト）が床パネルと半土台との当接面を通るように、基礎から壁パネルへ、下階の壁パネルから上階の壁パネルへと挿通され、締結されている。
しかし、この方法では、床パネルと半土台のそれぞれにアンカーボルトを挿通させる半円状の切欠きを設ける必要があった。そのため、アンカーボルト取り付け時には、床パネルの桟材または半土台がずれる可能性があり、孔にいくらかの余裕（ルーズホール）を持たせることが必要となり、また、上に壁パネルを取り付けるまでは、何らかの手段で床パネルと半土台とを固定させておく必要があった。
また、住宅が大きくなるにつれて部品点数も増加するため、部品の製造効率、住宅の施工効率を向上させにくかった。
また、上記外装材を壁パネルの下方に延出するように予め取り付けた場合に必要となり、外装材の延出部分を保護する板体は、外装材が取り付けられた壁パネルの輸送方法を検討することで、少なくとも、輸送時に前記板体がなくても外装材を保護することが可能となるが、取付後の外装材の下端部の保護や水切材の取付等に問題がある。
【０００８】
そこで、本発明の課題は、部品点数を減らすことで、部品の製造効率および住宅の施工効率を向上させる住宅の床構造を提供することである。
【０００９】
【課題を解決するための手段】
上記課題を解決するため、請求項１記載の発明は、例えば、図１に示すように、基礎上に床パネル３が縦横に配設された建物の床構造であって、前記建物の外周部分にほぼ連続して配置される基礎である外周部分の布基礎１上に前記床パネルの一方の端部が載せられて、前記床パネルの一方の端部が前記布基礎に支持され、かつ、前記床パネルの一方の端面と、前記基礎の上面の前記住宅の外周側の側縁とがほぼ同じ位置に上下に重なって配置され、前記布基礎の上面の左右の側縁部間を前記床パネルの端部がほぼ覆うようになっており、
前記床パネルは、縦横の桟材を矩形枠状に組んだ枠体３２と、該枠体の少なくとも上面側に設けられる面材３１とを備え、前記基礎上には、該基礎上に載せられた前記床パネルの一方の端部を介して外壁となる壁パネル４が立設され、前記基礎には、その上部から上方に突出して前記床パネルの一方の端部を貫通して前記壁パネルの下端部に至るアンカーボルト５が設けられ、前記床パネルの一方の端部側に配置される前記枠体の桟材の水平方向に沿った厚さが、前記基礎の上面の前記住宅の外周側の側縁から少なくとも前記アンカーボルトを超えた位置までの距離より厚くされ、かつ、前記桟材の前記アンカーボルトに対応する位置に、前記アンカーボルトを挿通する挿通孔Ａが形成され、
前記外壁となる壁パネルには、予め、前記壁パネルを設置する前に、前記壁パネルの外面側に、該外面と僅かに間隔を開けて板状の外装材７３が取り付けられているとともに、前記外装材の下端部が少なくとも壁パネルの下に配置される床パネルの端面をほぼ覆い隠すように、前記壁パネルの下端部より下に延出し、前記外装材の下端部の裏面側から外装材の下側に延出するように水切材７４が配置されているとともに、該水切材の上端部が前記外装材と前記床パネルの一方の端面との間にスペーサ７５とともに配置され、前記水切材が、前記外装材、前記水切材及び前記スペーサを貫通して床パネルの端部に突き刺さる接合部材７６により、床パネル及び外装材に固定されていることを特徴とする。
【００１０】
請求項１記載の発明によれば、床パネルの一方の端面と、布基礎の上面の住宅の外周側の側縁とがほぼ同じ位置に上下に重なって配置されていることにより、布基礎上には床パネルのみが設置されることになる。したがって、半土台を用いずに済むことから、従来の工法に比べて部品点数を減らすことができ、施工工数の削減、コストの低減を図ることができる。また、構成部品の減少により、布基礎と床パネルとの接続構造を簡単なものとすることができる。
【００１２】
また、床パネルの一方の端部側に配置される枠体の桟材の水平方向に沿った厚さが、布基礎の上面の住宅の外周側の側縁から少なくともアンカーボルトを超えた位置までの距離より厚くされているため、布基礎上に安定して床パネルを設置することができる。また、桟材のアンカーボルトに対応する位置に、アンカーボルトを挿通する挿通孔が形成されているため、従来の半円状の切欠きを設けた桟材を合わせた部分にアンカーボルトで固定する方法と違って、アンカーボルトの挿通後は、床パネルがずれることはなく、施工能率を上げることができる。また、床パネルは、挿通孔にアンカーボルトを挿通させて取り付けられるため、上記従来の工法に比べて取付強度を強化することができる。
【００１４】
また、外装材の下端部が少なくとも壁パネルの下に配置される床パネルの端面をほぼ覆い隠すように、壁パネルの下端部より下に延出されているため、住宅の美観を向上させることができるとともに、壁パネルや布基礎等を保護することができる。また、従来、外装材に設けられていた板体を取り外し、外装材と壁パネルとの間にスペーサを取り付けた水切材を挿入することにより、板体を取り付けなくても済むことができる。さらに、水切材が、外装材、水切材及びスペーサを貫通して床パネルの端部に突き刺さる接合部材により、床パネル及び外装材に固定されることにより、壁パネル設置後の外装材の端部を保護することができる。
【００１９】
【発明の実施の形態】
以下、本発明に係る実施の形態を図１および図２を参照して詳細に説明する。一階における床構造は、建物の布基礎１上に床パネル３の一方の端部が載せられて、床パネル３の一方の端部が布基礎１に支持され、かつ、床パネル３の一方の端面と、布基礎１の上面の住宅の外周側の側縁とがほぼ同じ位置に上下に重なって配置され、布基礎１の上面の左右の側縁部間を床パネル３の端部がほぼ覆うようになっている。この床構造は、布基礎１と、該布基礎１上に設置される台輪２と、端部が該台輪２上に設置された床パネル３と、該床パネル３上に立設された壁パネル４と、布基礎１に下端を埋設され上端が布基礎１の上面から上に向かって延出するアンカーボルト５とを備えている。布基礎１から上に向かって延出するアンカーボルト５が床パネル３の一方の端部に挿通され、さらに床パネル３の一方の端部から延出したアンカーボルト５が、床パネル３上に載置される壁パネル４の枠体４２に挿通されてナット６にて締結される。
【００２０】
布基礎１は、住宅の土台となるもので、逆Ｔ字形状をなしており、住宅の建築領域において立ち上げて形成されている。また、布基礎１上に台輪２が設置され、さらに台輪２の上に、一階の床となる床パネル３が設置されるようになっている。
【００２１】
床パネル３は、住宅の床を形成するものであり、縦横の桟材を矩形枠状に組み立てて枠体３２を形成し、該枠体３２内に必要に応じて補強桟材を縦横に取り付け、枠体３２の少なくとも上面側に合板等からなる面材３１を貼設したものである。床パネル３の一方の端部側に配置される枠体３２の桟材の水平方向に沿った厚さは、布基礎１の上面の住宅の外周側の側縁から少なくともアンカーボルト５を超えた位置までの距離より長くされている。
また、床パネル３端部の枠体３２には、布基礎１から延出するアンカーボルト５と対応する位置に挿通孔Ａが形成されている。挿通孔Ａは、枠体３２と面材３１を貫通するように形成されている。
【００２２】
壁パネル４は、住宅の壁面を形成するものであり、縦横の桟材を矩形枠状に組み立てて枠体４２を形成し、該枠体４２内に必要に応じて補強桟材を縦横に取り付け、枠体４２の両面に合板等からなる面材４１を貼設したものである。
壁パネル４端部の枠体４２には、上記の床パネル３の挿通孔Ａから延出するアンカーボルト５と対応する位置に挿通孔Ａが形成されている。挿通孔Ａは、枠体４２の下側の桟材を貫通するように形成されている。
【００２３】
壁パネル４の外面側となる面材４１には、予め工場等で防水シート７１、壁の仕上げ材となる外装材７３、壁パネル４と外装材７３とに間隔を設けて通気性を高めるとともに、壁パネル４に外装材７３を貼り付けるための胴縁７２等が備えられている。壁パネル４の面材４１に防水シート７１が敷設され、該防水シート７１上に一定の間隔をおいて胴縁７２が設置され、さらに、胴縁７２の上面に、防水シート７１とで胴縁７２を挟みこむように外装材７３が設置されている。外装材７３の下端部は少なくとも壁パネル４の下に配置される床パネル３の端面をほぼ覆い隠すように壁パネル４の下端部より下に延出されている。なお、外装材７３は、水切材７４を釘等で突き刺して固定することができるよう、木等の繊維を含んだ窯業系のものである。
【００２４】
また、外装材７３を備えた壁パネル４を床パネル３に取り付けた後には、水切材７４が外装材７３の下端部の裏面側から外装材７３の下側に延出するように床パネル３と外装材７３との間に挿入され、配置されている。
水切材７４は、布基礎１の方へ雨水が流れるのを防止するものであり、布基礎１の長手方向に長尺で、かつ、鉛直に備えられる帯板状に形成されており、その下端部は、外側に向けて折り曲げられ、さらに途中で鉛直下方向に向けて折り曲げられた形状とされている。
【００２５】
アンカーボルト５は、一方の端部が布基礎１に埋設されており、布基礎１から露出する部分は、少なくとも床パネル３の枠体３２の厚さと壁パネル４の枠体４２の厚さを足した長さより長くされており、台輪２、床パネル３、壁パネル４を挿通した後、ナット６にて締結される。
【００２６】
次に、本発明の一階の床構造の施工方法について説明する。
従来の住宅の施工と同様、地面に布基礎１を構築する。その際、アンカーボルト５は、布基礎１上の厚さのほぼ中央に、螺合する部分を鉛直上方向に露出した状態で設置される。設置された布基礎１上のアンカーボルト５を台輪２に挿通させて台輪２を設置する。
そして、工場等で予め生産された床パネル３を、挿通孔Ａにアンカーボルト５を挿通させ、台輪２上に設置する。
【００２７】
続いて、工場等で予め生産された外装材７３を備えた壁パネル４を、挿通孔Ａに床パネル３から延出したアンカーボルト５に挿通させ、床パネル３上に立設する。
壁パネル４の枠体４２から延出したアンカーボルト５をナット６により締結することで布基礎１上への床パネル３および壁パネル４の設置が行われる。その際、外装材７３の下端部と床パネル３の枠体３２との間にスペーサ７５を備えた水切材７４を挿入し、外装材７３、水切材７４、スペーサ７５を貫通して床パネル３の端部に突き刺さる釘等の接合部材７６によって床パネル３及び外装材７３に固定する。
【００２９】
以上のことから、床パネル３の枠体３２の桟材を半土台（胴差）の大きさ分大きくしたことで、従来床パネル３の取り付けに用いられてきた半土台の取り付けを省略することができ、部品点数、施工工数を減らすことができる。したがって、床パネル３を大きくしたことで床パネル３自体の製造コストは上がるが、部品点数、施工工数を減らすことによるコストの低減の方が大きく、全体としてコストダウンを図ることができる。また、アンカーボルト５を床パネル３の挿通孔Ａに挿通させる機構であるから、アンカーボルト５の挿通後は、床パネル３がずれることはなく、施工能率を向上させることができる。
【００３０】
また、床パネル３の枠体３２は、布基礎１上の厚さのほぼ中央でアンカーボルト５を挿通させて取り付けることができるため、従来に比べて床パネル３の布基礎１への取付強度を増すことができる。
また、床パネル３に挿通孔Ａを形成するだけの非常に簡単な方法でよく、従来のようにルーズな切欠きを形成する必要がない。
さらに、水切材７４にスペーサ７５を取り付けることにより、床パネル３と外装材７３との間に板体を設ける必要がなくなり、水切材７４の取付部分の構造を簡単にすることができる。また、外装材７３及び水切材７４が台輪２や床パネル３の端部を隠すことにより、住宅の美観を向上させることができる。また、外装材７３は、壁パネル４の下端部より下側に延出されているため、壁パネル４運搬時に壁パネル４の破損を防ぐことができる。
【００３１】
なお、住宅の外周部分において、全ての床パネル及び壁パネルがアンカーボルトや胴差ボルトで基礎や下階の壁パネルに固定される必要はない。
また、本発明に係る床パネルおよび壁パネルの接合構造は上述のものに限定されるものではなく、発明の要旨を逸脱しない範囲で設計変更、改良、組み合わせ等がなされた接合構造を包含するものである。
【００３２】
【発明の効果】
請求項１記載の発明によれば、床パネルの一方の端面と、布基礎の上面の住宅の外周側の側縁とがほぼ同じ位置に上下に重なって配置されていることにより、布基礎上には床パネルのみが設置されることになる。したがって、従来の工法に比べて部品点数を減らすことができ、施工工数の削減、コストの低減を図ることができる。また、構成部品の減少により、布基礎と床パネルとの接続構造を簡単なものとすることができる。
【００３３】
また、布基礎上に安定して床パネルを設置することができる。また、従来の切欠きを設けた桟材を合わせた部分にアンカーボルトで固定する方法と違って、アンカーボルトの挿通後は、床パネルがずれることはなく、施工能率を上げることができる。また、床パネルは、上記従来の工法に比べて取付強度を強化することができる。
【００３４】
さらに、住宅の美観を向上させることができるとともに、壁パネルや布基礎等を保護することができる。また、壁パネル運搬時においても壁パネルの破損を防ぐことができる。また、従来水切材を取り付けるために床パネル等に設けられていた板材等を必要とせず、部品点数を減らすことができる。また、水切材はスペーサを介して接合部材によって床パネル及び外装材に固定されているため、接合構造を簡単なものとすることができる。
【図面の簡単な説明】
【図１】本発明の実施の形態の一階の床構造を説明するための図である。
【図２】上記実施の形態の水切材の取付構造を説明するための図である。
【図３】従来技術として例示する、床構造を説明するための図である。
【符号の説明】
１ 布基礎
３ 床パネル
４ 壁パネル
５ アンカーボルト
３１ 面材（床パネル）
３２ 枠体（床パネル）
７３ 外装材
７４ 水切材
７５ スペーサ
７６ 接合部材
８ ボルト
Ａ 挿通孔
【図１】
0004708633.tif 000002
【図２】
0004708633.tif 000003
【図３】
0004708633.tif 000004